(57)【特許請求の範囲】
【請求項１】
第１の出力の電圧を分圧する第１および第２の抵抗に出力電圧検出端子が接続されたシャントレギュレータと、入力電源の制御回路部に接続された第１のフォトカプラのダイオードと、第３の抵抗とを直列接続した出力電圧検出回路と、
入力電源の過電圧保護回路部に接続された第２のフォトカプラのダイオードと、第４の抵抗と、ツェナーダイオードとを直列接続した過電圧検出回路と、
第１の出力を第２の出力へ変換するＤＣ／ＤＣコンバータとを備えた電源装置において、
上記出力電圧検出回路のシャントレギュレータの出力電圧検出端子と第２の出力の正極側との間にダイオードを順方向接続した
ことを特徴とする電源装置。
【発明の詳細な説明】
【０００１】
【発明の属する技術分野】
本発明は、２出力の電源装置に関するものであり、第２の出力が停止した時、第１の出力も停止させることができる電源装置に関するものである。
【０００２】
【従来の技術】
図２は、従来の電源装置で、第１の出力間に直列接続した第１の抵抗４と第２の抵抗５との間に、出力電圧検出回路のシャントレギュレータ１４の出力電圧検出端子(VREF)を接続し、第１の出力の正極側より第３の抵抗１２を介し、第１のフォトカプラ１３のダイオードを経由して該シャントレギュレータ１４のカソードへ接続して出力電圧検出回路３を構成し、得られた制御信号を該フォトカプラ１３のトランジスタから電源の制御回路部へ帰還させることにより第１の出力を安定化している。
また、第１のツェナーダイオード９と第４の抵抗１０と第２のフォトカプラ１１のダイオードを直列接続して過電圧検出回路２を構成し、回路の異常により第１の出力が、第１のツェナーダイオード９で設定した電圧を超え、過電圧状態になった時、該ツェナーダイオード９から第４の抵抗１０を経由して第２のフォトカプラ１１のダイオードに電流が流れ、該フォトカプラ１１のトランジスタから電源１の過電圧保護回路部に信号を伝えて出力停止させることができる。
さらに、第１の出力を第２の出力へ変換するためＤＣ／ＤＣコンバータ６を接続する。
そして、第２のツェナーダイオード１５と第５の抵抗１６と第６の抵抗１８とを直列接続し、第３のツェナーダイオード２０と第７の抵抗２１と第８の抵抗２２とを直列接続し、第５および第６の抵抗の接続点と、第７および第８の抵抗の接続点と、第１の出力の負極側との間に、ＮＰＮトランジスタ１９を接続し、第５および第６の抵抗の接続点と、第４の抵抗と第２のフォトカプラ１１の接続点との間にダイオード１６を順方向接続して、減電圧検出回路８を構成する。
【０００３】
通常は、第１の出力に接続した第２のツェナーダイオード１５で設定した電圧以上に第１の出力が上昇した時、該ツェナーダイオード１５から第５の抵抗１６を介して電流が流れ始める。しかし、第２の出力に接続した第３のツェナーダイオード２０で設定した電圧を第２の出力電圧よりも低く設定するため、第７の抵抗２１を介してＮＰＮトランジスタ１９のベースに電流が流れ、該ＮＰＮトランジスタ１９がオンし、第２のツェナーダイオード１５から第５の抵抗１６を介して流れる電流は、該ＮＰＮトランジスタ１９のコレクタ側に流れ、第１のダイオード１７から第２のフォトカプラ１１のダイオードには流れない。よって、第１の出力と第２の出力は、正常に出力を維持する。
【０００４】
ところが、第２の出力が、短絡などにより出力停止した場合、第３のツェナーダイオード２０に電流が流れなくなり、ＮＰＮトランジスタ１９がオフする。このため、第２のツェナーダイオード１５、第５の抵抗１６を介して、ダイオード１７から第２のフォトカプラ１１のダイオードに電流が流れ、該フォトカプラ１１のトランジスタから入力電源１の過電圧保護回路部に信号を伝えて第１の出力も停止させることが可能となる。
しかし、上記従来の電源装置では、第２の出力が短絡などにより停止した場合、第１の出力を停止させるための減電圧回路８が必要であり、該減電圧回路は、部品点数が非常に多く、回路動作も複雑であるという問題があった。
【０００５】
【発明が解決しようとする課題】
上記のような問題があったため、部品点数の少ない簡単な回路構成で第２の出力が停止した場合に第１の出力も停止させることができる電源装置が要求されていた。
【０００６】
【課題を解決するための手段】
本発明は、上記の課題を解決したものであり、図１に示すように、第１の出力の電圧を分圧する第１の抵抗４および第２の抵抗５に出力電圧検出端子（ＶREF）が接続されたシャントレギュレータ１４と、入力電源１の制御回路部に接続された第１のフォトカプラ１３のダイオードと、第３の抵抗１２とを直列接続した出力電圧検出回路３と、
入力電源１の過電圧保護回路部に接続された第２のフォトカプラ１１のダイオードと、第４の抵抗１０と、ツェナーダイオード９とを直列接続した過電圧検出回路２と、
第１の出力を第２の出力へ変換するＤＣ／ＤＣコンバータ６とを備えた電源装置において、
上記出力電圧検出回路３のシャントレギュレータ１４の出力電圧検出端子（ＶREF）と第２の出力の正極側との間にダイオード７を順方向接続したことを特徴とする電源装置である。
【０００７】
【発明の実施の形態】
本発明の実施例による電源装置の回路を図１に示す。
第１の出力間に直列接続した第１の抵抗４と第２の抵抗５の接続点に、出力電圧検出回路３のシャントレギュレータ１４の出力電圧検出端子(ＶREF)を接続し、第１の出力の正極側より第３の抵抗１２、第１のフォトカプラ１３のダイオードを経由して該シャントレギュレータ１４のカソードに接続する。得られた制御信号を該フォトカプラ１３のトランジスタから電源の制御回路部へ帰還させることにより第１の出力の安定化を行う。
回路の異常により第１の出力が、第１のツェナーダイオード９で設定した電圧を超えた時、過電圧検出回路２が動作し、該ツェナーダイオード９から第４の抵抗１０を経由して第２のフォトカプラ１１のダイオードに電流が流れ、該フォトカプラ１１のトランジスタから入力電源１の過電圧保護回路部に信号を伝えて出力停止させる。
【０００８】
また、第２の出力は、ＤＣ／ＤＣコンバータ６により第１の出力を変換して出力される。
ここで、シャントレギュレータ１４の出力検出端子(ＶREF)と第２の出力の正極側間にダイオード７を順方向接続することにより、第２の出力に短絡などが発生し、シャントレギュレータ１４の出力電圧検出端子(ＶREF)の電圧と、ダイオード７の電圧ＶFとの差分より第２の出力電圧が低下すると第１の抵抗４から流れる電流が、ダイオード７を経由して第２の出力側に流れ、第３の抵抗１２、第１のフォトカプラ１３のダイオード、シャントレギュレータ１４の経路を流れなくなるので、第１のフォトカプラ１３のトランジスタから入力電源１の制御回路部へ信号が送信されなくなる。よって、第１の出力は制御不能で過電圧状態となり、上記した過電圧検出回路２が入力電源１の過電圧保護回路部を動作させ、第１の出力も停止させることができる。
【０００９】
上記したように、本発明によれば、第２の出力が短絡により停止した場合でも、部品点数の少ない、簡単な回路構成で、また、確実な回路動作で、第１の出力を停止させることができる。
なお、図１（実施例）と図２（従来例）とで、減電圧検出回路の構成部品およびコストを比較すると、下記の〔表１〕のようになり、実施例では部品点数が大幅に削減されており、それに伴ってコストも低減されていることが分かる。
また、実施例と従来例の電源装置とを作動させた状態で、第２の出力を故意に短絡させたが、従来例同様、実施例についても第１の出力を停止させることができた。
【００１０】
【表１】
0004452000.tif 000002
【０００１１】
【発明の効果】
上記したように、本発明によれば、出力電圧検出回路のシャントレギュレータの出力電圧検出端子と第２の出力の正極側との間にダイオードを順方向接続することにより、従来例の減電圧検出回路８が不要となるので、第２の出力が停止した場合に、第１の出力も停止させることが可能な電源装置を、部品点数の少ない簡単な回路構成で実現することができる。
【図面の簡単な説明】
【図１】本発明の実施例による電源装置の回路図である。
【図２】従来例による電源装置の回路図である。
【符号の説明】
１  入力電源
２  過電圧検出回路
３  出力電圧検出回路
４  第１の抵抗
５  第２の抵抗
６  ＤＣ／ＤＣコンバータ
７  ダイオード
８  減電圧検出回路
９  （第１の）ツェナーダイオード
１０  第４の抵抗
１１  第２のフォトカプラ
１２  第３の抵抗
１３  第１のフォトカプラ
１４  シャントレギュレータ
１５  第２のツェナーダイオード
１６  第５の抵抗
１７  ダイオード
１８  第６の抵抗
１９  ＮＰＮトランジスタ
２１  第７の抵抗
２２  第８の抵抗
【図１】
0004452000.tif 000003
【図２】
0004452000.tif 000004